(57)【要約】【課題】発射装置から発射された遊技球を、誘導部によって遊技領域に誘導する遊技機において、遊技球が誘導部から離れにくくする。【解決手段】発射装置から発射された遊技球を遊技領域に誘導する誘導経路を形成し、この誘導経路を遊技球の進行方向に向けて曲率半径が小さくなるようにする。こうすれば、誘導経路は曲率半径が一定の場合と比較して内側寄りになるため、遊技球の発射強度が多少弱い場合であっても、遊技球が誘導経路から離れにくくすることが可能となる。【選択図】図４
2018023870.tif 000002
【特許請求の範囲】
【請求項１】
遊技盤に形成された遊技領域に向けて遊技球を発射して遊技を行う遊技機であって、
前記遊技領域の所定位置に向けて下方から遊技球を発射する発射装置と、
前記発射装置から発射された遊技球の進行方向を連続的に変更することによって、該遊技球を前記所定位置に誘導する誘導経路と、
を備え、
前記誘導経路には、遊技球の進行に従って曲率半径が小さくなる部分が形成されている
ことを特徴とする遊技機。
【請求項２】
請求項１に記載の遊技機であって、
前記誘導経路には、遊技領域まで誘導した遊技球をさらに前記所定位置まで誘導する区間において、遊技球の進行に従って曲率半径が小さくなる部分が形成されている
ことを特徴とする遊技機。
【請求項３】
請求項１または請求項２に記載の遊技機であって、
前記誘導経路は、遊技球の進行に従って徐々に曲率半径が小さくなるように形成されている
ことを特徴とする遊技機。
【発明の詳細な説明】
【技術分野】
【０００１】
本発明は、発射装置から発射された遊技球を、誘導部によって遊技領域に誘導する遊技機（パチンコ機）に関する。
【背景技術】
【０００２】
遊技領域に向けて遊技球を発射し、遊技領域に設けられた複数の入球口に遊技球を入球させる遊技を行う遊技機（いわゆるパチンコ機）が知られている。このパチンコ機には、発射装置から発射された遊技球を遊技領域の上部に誘導する円弧状の誘導部（例えば、レール）が設けられたものがある（特許文献１）。このような誘導部が設けられたパチンコ機では、できる限り遊技球が誘導部によって形成される誘導経路に沿って誘導されることが望ましい。
【先行技術文献】
【特許文献】
【０００３】
【特許文献１】特開２０１５−２０４８５８号公報
【発明の概要】
【発明が解決しようとする課題】
【０００４】
しかし、従来のパチンコ機では、遊技球が誘導経路から離れにくくする点については何ら考慮されておらず、この点で改善の余地があった。
【０００５】
本発明は、上述した課題を解決するためになされたものであり、遊技球が誘導経路から離れにくくすることが可能な遊技機を提供することを目的とする。
【課題を解決するための手段】
【０００６】
上述した課題の少なくとも一部を解決するために、本発明の遊技機は次の構成を採用した。すなわち、
遊技盤に形成された遊技領域に向けて遊技球を発射して遊技を行う遊技機であって、
前記遊技領域の所定位置に向けて下方から遊技球を発射する発射装置と、
前記発射装置から発射された遊技球の進行方向を連続的に変更することによって、該遊技球を前記所定位置に誘導する誘導経路と、
を備え、
前記誘導経路には、遊技球の進行に従って曲率半径が小さくなる部分が形成されている
ことを特徴とする。
【０００７】
このような遊技機では、遊技領域の所定位置に向けて下方から遊技球が発射され、発射された遊技球が誘導経路によって遊技領域の所定位置に誘導される。しかし、遊技球は重力を受けるため、所定位置に到達する前に誘導経路から離れてしまうことがある。そこで本発明では、誘導経路に、遊技球の進行に従って曲率半径が小さくなる部分を形成している。こうすれば、誘導経路は曲率半径が一定の場合と比較して内側寄りになるため、遊技球が多少減速しても、遊技球を誘導経路に沿わせることができる。よって、遊技球の発射強度が多少弱い場合であっても、遊技球が誘導経路から離れにくくなる。
【０００８】
また、本発明の遊技機は、
前記誘導経路には、遊技領域まで誘導した遊技球をさらに前記所定位置まで誘導する区間において、遊技球の進行に従って曲率半径が小さくなる部分が形成されている
こととしてもよい。
【０００９】
こうすれば、遊技球の発射強度が多少弱い場合であっても、遊技領域まで到達した遊技球が所定位置まで誘導されやすくなる。その結果、遊技球の軌道をより一層安定させることができる。
【００１０】
また、本発明の遊技機は、
前記誘導経路は、遊技球の進行に従って徐々に曲率半径が小さくなるように形成されている
こととしてもよい。
【００１１】
遊技球は誘導経路の進行に伴い徐々に減速するため、誘導経路から徐々に離れやすくなる。そこで、本発明では、誘導経路を、遊技球の進行に従って徐々に曲率半径が小さくなるように形成している。こうすれば、遊技球が減速するのに合わせて誘導経路の曲率半径が徐々に小さくなるので、誘導経路に対してより遠くまで沿いやすくなり、遊技球の軌道をより一層安定させることができる。
【発明の効果】
【００１２】
本発明によれば、発射装置から発射された遊技球を、誘導部によって遊技領域に誘導する遊技機において、遊技球が誘導部から離れにくくすることができる。
【図面の簡単な説明】
【００１３】
【図１】本実施例のパチンコ機の正面図である。
【図２】本実施例の遊技盤の盤面構成を示す説明図である。
【図３】本実施例の遊技球の流れを示す説明図である。
【図４】本実施例の外レールの形状を示す説明図である。
【図５】変形例の外レールの形状を示す説明図である。
【発明を実施するための形態】
【００１４】
上述した本発明の内容を明確にするために、本発明を「セブン機」や「デジパチ」と呼ばれるタイプのパチンコ機（遊技機）に適用した実施例について説明する。尚、実施例においては、特に断りがない限りは、パチンコ機正面に向かって右側を「右」と表現し、左側を「左」と表現する。
【００１５】
また、以下の実施例は次のような順序に従って説明する。
Ａ．パチンコ機の装置構成：
Ａ−１．装置前面側の構成：
Ａ−２．遊技盤の構成：
Ｂ．遊技の進行態様：
Ｃ．外レールの構成：
Ｄ．変形例：
【００１６】
Ａ．パチンコ機の装置構成  ：
Ａ−１．装置前面側の構成  ：
図１は、本実施例のパチンコ機１の正面図である。図１に示すように、パチンコ機１の前面部には、前面枠４が設けられている。前面枠４の背面側には中枠３及び本体枠２が設けられ、前面枠４は、一端（図１における左側）が中枠３に対して回動可能に軸支されており、中枠３は、一端（図１における左側）が本体枠２に対して回動可能に軸支されている。本体枠２は、木製の板状部材を組み立てて構成された略長方形の枠体であり、パチンコ機１はこの本体枠２が島設備に取り付けられることで遊技ホールに設置される。中枠３の前面側には遊技盤２０（図２参照）が着脱可能に取り付けられており、前面枠４が中枠３に対してパチンコ機１前方側に回動（開放）されると、遊技盤２０が露出された状態となる。
【００１７】
前面枠４の略中央部には窓部４ａが形成されており、この窓部４ａには合成樹脂製の透明板４ｂが嵌め込まれている。遊技者は、窓部４ａ（透明板４ｂ）を通して奥側に配置される遊技盤２０の遊技領域を視認可能である。
【００１８】
前面枠４における窓部４ａの上方には上部ランプ５ａが設けられ、窓部４ａの周縁部における右部には右サイドランプ５ｂが設けられ、窓部４ａの周縁部における左部には左サイドランプ５ｃが設けられている。また、前面枠４の中央に大きく開口した窓部４ａの左右上方には上部スピーカー６ａが設けられており、本体枠２の下部の前面（遊技者から見てパチンコ機１の一番下の位置）には下部スピーカー６ｂが設けられている。これらの上部ランプ５ａ、右サイドランプ５ｂ、左サイドランプ５ｃ、上部スピーカー６ａ、下部スピーカー６ｂは、遊技上の演出効果を高めるために駆動される。
【００１９】
前面枠４における窓部４ａの下方には、上皿部７が設けられている。上皿部７には、パチンコ機１に対応して設けられたカードユニットを介して貸し出される遊技球や、パチンコ機１から払い出される遊技球が貯留される。また、上皿部７の下方には下皿部８が設けられており、上皿部７の容量を超えて貸し出された遊技球や、上皿部７の容量を超えて払い出された遊技球が貯留される。
【００２０】
前面枠４における下皿部８の右方には、発射ハンドル９が設けられている。発射ハンドル９の回転軸は、発射ハンドル９の奥側に搭載された発射装置ユニットに接続されている。この発射装置ユニットには、上皿部７に貯留された遊技球が供給される。遊技者が発射ハンドル９を回転させると、その回転が発射装置ユニットに伝達され、発射装置ユニットに内蔵された発射モーターが回転して、回転角度に応じた強さで遊技球が発射される。
【００２１】
Ａ−２．遊技盤の構成  ：
図２は、遊技盤２０の盤面構成を示す説明図である。前述したように、遊技盤２０は前述した中枠３の前面側に着脱可能に取り付けられている。図２に示すように、遊技盤２０の中央には略円形状の遊技領域２１が形成されている。遊技領域２１の周囲には、発射装置ユニットから発射された遊技球を遊技領域２１へ案内する遊技球通路が、外レール２２と内レール２３とによって形成されている。発射装置ユニットから発射された遊技球はこの遊技球通路を通過して遊技領域２１に放出される。また、内レール２３の先端部には遊技球通路を塞ぐようにして戻り球防止片５０が設けられており、遊技球が遊技領域２１へ放出される場合には遊技球が球の勢いで戻り球防止片５０を押し開けて遊技領域２１に放出される。その一方で、遊技領域２１に放出された遊技球が遊技領域２１内の部材に当たって跳ね返ってきた場合は、戻り球防止片５０で弾かれて遊技球通路内には戻らないように構成されている。
【００２２】
遊技領域２１に放出された遊技球は、遊技領域２１の上部から下方に向かって流下する。遊技領域２１は、前面枠４の窓部４ａを通して遊技者に視認されるので、当然ながら、遊技領域２１を流下する遊技球の様子も窓部４ａを通して遊技者に視認されることとなる。
【００２３】
遊技領域２１の略中央には中央装置４０が設けられており、中央装置４０のほぼ中央には、演出表示装置４１が設けられている。演出表示装置４１は液晶表示器によって構成されており、その表示画面上には、演出用の種々の画像を表示することが可能である。
【００２４】
遊技領域２１における中央装置４０（演出表示装置４１）の下方には、開口部の大きさが不変（一定）であり遊技球が常時入球可能な始動口である第１始動口２４が設けられている。第１始動口２４に入球した遊技球は、内部に設けられた通路を通って遊技盤２０の裏面側に導かれる。第１始動口２４の内部の通路には第１始動口センサーが設けられており、第１始動口２４に入球した遊技球を検知可能である。
【００２５】
また、遊技領域２１における第１始動口２４の下方には、遊技球の入球可能性が変化する入球口（始動口）である第２始動口２５が設けられている。すなわち、第２始動口２５は、パチンコ機１の前後方向に回動可能な開閉扉２６を備えており、開閉扉２６が略直立して遊技球が入球不能（または入球困難）な閉鎖状態と、開閉扉２６がパチンコ機１の前方側に回動して遊技球が入球可能（または入球容易）な開放状態とに変化可能である。図２では、第２始動口２５が開放状態となっている様子が示されている。第２始動口２５に入球した遊技球は、内部に設けられた通路を通って遊技盤２０の裏面側に導かれる。第２始動口２５の内部の通路には第２始動口センサーが設けられており、第２始動口２５に入球した遊技球を検知可能である。
【００２６】
また、遊技領域２１において中央装置４０（演出表示装置４１）の右方には、普通図柄作動ゲート２７が設けられており、普通図柄作動ゲート２７の内部には、遊技球の通過を検知するゲートセンサーが設けられている。
【００２７】
また、遊技領域２１における第１始動口２４の右方には、略長方形状に大きく開口された大入賞口２８（可変入球口）が設けられている。大入賞口２８は、パチンコ機１の前後方向に回動可能な開閉扉２９を備えており、開閉扉２９が略直立して遊技球が入球不能な閉鎖状態と、開閉扉２９がパチンコ機１の前方側に回動して遊技球が入球可能な開放状態とに変化可能である。図２では、大入賞口２８が開放状態となっている様子が示されている。大入賞口２８に入球した遊技球は、内部に設けられた通路を通って遊技盤２０の裏面側に導かれる。大入賞口２８の内部の通路には大入賞口センサーが設けられており、大入賞口２８に入球した遊技球を検知可能である。
【００２８】
また、上述した各遊技装置の周辺には、遊技球が入球可能な一般入球口３０や、遊技球の流下経路に影響を与える風車型ホイール３１や多数の障害釘３２が設けられている。遊技領域２１の最下部であって第２始動口２５の下方には、アウト口３３が設けられており、上述した第１始動口２４、第２始動口２５、大入賞口２８、一般入球口３０の何れにも入球しなかった遊技球は、アウト口３３から遊技盤２０の裏側に排出される。
【００２９】
本実施例のパチンコ機１では、第１始動口２４、第２始動口２５、一般入球口３０の何れかに遊技球が入球した場合は、３個の遊技球が遊技者に払い出され、大入賞口２８に遊技球が入球した場合は、１３個の遊技球が遊技者に払い出される。
【００３０】
Ｂ．遊技の進行態様  ：
本実施例のパチンコ機１では、次のようにして遊技が進行する。まず、遊技は、一般に、いわゆる「左打ち」と呼ばれる方法で遊技球を発射することによって開始される。ここで、左打ちとは次のような方法で遊技球を発射することをいう。上述したようにパチンコ機１は、発射ハンドル９の操作量を調整することによって遊技球の発射強度を変化させることが可能であり、発射強度をある程度以下の大きさまで弱くすると、発射された遊技球は、中央装置４０（演出表示装置４１）の左方に形成された遊技領域２１（以下では「左遊技領域２１Ｌ」という））を流下するようになる。そして、左遊技領域２１Ｌを流下する遊技球は、風車型ホイール３１から続いて設けられた障害釘３２によって、第１始動口２４へと導かれる。このように、遊技球を小さな発射強度で発射して、左遊技領域２１Ｌを流下させるような打ち方が「左打ち」と呼ばれる打ち方である。
【００３１】
第１始動口２４に入球すると大当り判定が行われ、大当り判定の結果が演出表示装置４１にて示される。例えば、第１始動口２４への入球に伴い、演出表示装置４１の表示画面上で識別図柄が変動表示され、所定時間経過後に大当り判定の結果に応じた識別図柄が停止表示される。これにより、大当り判定の結果が遊技者に示される。大当り判定の結果が大当りであった場合には、演出表示装置４１の表示画面上に識別図柄が停止表示された後、遊技者にとって有利な大当り状態となる。尚、大当り判定での結果が大当りとなる確率（大当りの当選確率）には、通常確率と高確率の２種類の確率が設定されており、遊技を開始した直後は、通常確率に設定された状態（通常遊技状態）となっている。
【００３２】
大当り状態になると、遊技球の打ち方は、それまでの左打ちから、いわゆる「右打ち」に切り換えられる。ここで、右打ちとは、前述した左打ちとは反対に、大きな発射強度で遊技球を発射する打ち方である。発射ハンドル９を操作して遊技球の発射強度をある程度以上に大きくすると、発射された中央装置４０（演出表示装置４１）の右方に形成された遊技領域２１（以下では「右遊技領域２１Ｒ」という））を流下するようになる。そして、右遊技領域２１Ｒの下方には大きな大入賞口２８が形成されている。この大入賞口２８は、通常の状態では遊技球が入球し得ない閉鎖状態となっているが、大当り状態になると開口して、遊技球が入球し得るようになる。このため、大当り状態になったら左打ちから右打ちに切り換えることによって、遊技球を高い確率で大入賞口２８に入球させることが可能となる。
【００３３】
大当り状態では、遊技球が大入賞口２８に１０回入球するまで大入賞口２８を開放させるラウンド遊技が所定回数行われる。前述したように、大入賞口２８は遊技球が入球する度に１３個の遊技球が払い出されるので、大当り状態での遊技を行うことによって遊技者は多くの遊技球を獲得することが可能となる。
【００３４】
以上のようにして大当り状態での遊技を終了した後は、大当りの当選確率が高く、且つ第２始動口２５の開放頻度が高い高確率状態となる。第２始動口２５に入球して大当りに当選した場合には、第１始動口２４に入球して大当りした場合よりも、ラウンド遊技の回数が多くなるように設定されている。このため、高確率状態では第２始動口２５に入球させて大当り当選を狙った方が遊技者にとって有利となる。従って、遊技球が第２始動口２５に入球するように、右打ちが継続される。尚、高確率状態は大当りに当選するか、識別図柄の変動が５０回行われた場合に終了し、その後、通常遊技状態に戻る。このとき、左打ちに戻される。
【００３５】
このように、本パチンコ機１での遊技は、遊技球が中央装置４０を超えない強さで発射して左遊技領域２１Ｌを流下させる「左打ち」と、遊技球が中央装置４０を超える強さで発射して右遊技領域２１Ｒを流下させる「右打ち」とが繰り返される。そして、遊技者にとっては、右打ちをしている間が、大入賞口２８に遊技球を入球させて多くの遊技球を獲得することが可能な期間となる。右打ちをして大入賞口２８に遊技球を入球させるためには、発射した遊技球が中央装置４０を超える必要がある。その為には、発射された遊技球が、できるだけ長い距離を外レール２２の内周面に沿って進んでいくことが望ましい。そこで、本パチンコ機１では、遊技者が右打ちを確実に、且つ、容易にできるようにするために、外レール２２の形状として、以下のような特殊な形状を採用した。
【００３６】
Ｃ．外レールの構成  ：
上述したように、外レール２２は、内レール２３と共に、発射装置ユニットから発射された遊技球を遊技領域２１に案内する遊技球通路を形成している。図３は、遊技球通路から遊技領域２１に放出された後の遊技球の流れを示す説明図である。破線で示した遊技球および矢印は、「左打ち」の場合における遊技球の流れの一例を示している。この図では、遊技球が戻り球防止片５０付近で外レール２２の内周面（誘導経路２２Ｒ）から離れ、中央装置４０の上面左側に接触し、左遊技領域２１Ｌを流下する様子が示されている。他方、一点鎖線は、「右打ち」の場合における遊技球の流れの一例を示している。この図では、遊技球が外レール２２（誘導経路２２Ｒ）に沿って右遊技領域２１Ｒまで誘導され、右遊技領域２１Ｒを流下する様子が示されている。
【００３７】
また、図３に示すように、外レール２２が遊技球を誘導する先には、反発力を抑制させるために返しゴム５１が設けられており、外レール２２の終端部まで誘導された遊技球は返しゴム５１に当たって失速する。その返しゴムの下方には中央装置４０が位置しており、返しゴム５１に当たって失速した遊技球は中央装置４０の上面を転動してから右遊技領域２１Ｒを流下する。
【００３８】
外レール２２は、弾性変形する金属板によって構成されている。外レール２２には、突起状のレールピンが複数個所に取り付けられ、そのレールピンを遊技盤２０側に形成されたピン孔に嵌め込むことで、外レール２２がピン孔に沿って遊技盤２０に固定される。従って、外レール２２の形状は、ピン孔に嵌め込まれた複数のレールピンによって規定されていることになる。
【００３９】
図４は、外レール２２の形状を示す説明図である。図４に示すように、外レール２２はレールピンｐ１〜ｐ５を用いて遊技盤２０に固定されている。図４では、ｐ１の位置を通過点とする半径ｒ０の円が破線で描かれている。この半径ｒ０の円と比較すると分かるように、レールピンｐ１〜ｐ５が嵌合されるピン孔は右方に向けて徐々に内側寄りとなるように形成されている。このピン孔にレールピンｐ１〜ｐ５が嵌合されることによって、外レール２２は遊技球の進行方向（終端部）に向けて、曲率半径がｒ０，ｒ１（ｒ１＜ｒ０），ｒ２（ｒ２＜ｒ１）と徐々に小さくなるように固定されている。
【００４０】
以上のように、本実施例のパチンコ機では、外レール２２（誘導経路２２Ｒ）の曲率半径が遊技球の進行方向（終端部）に向けて、徐々に小さくなるように形成されている。このため、遊技球の減速に合わせて外レール２２も内側寄りとなり、遊技球が外レール２２から離れにくくなる。また、遊技球が外レール２２から離れにくくなることによって、遊技球の軌道が安定する。さらには、軌道が安定することによって、入球口への入球率が安定し、遊技者間の公平性がより一層担保される。特に、本実施例では、外レール２２が遊技球を誘導する先に返しゴム５１が設けられており、外レール２２によって終端部まで誘導された遊技球は返しゴム５１に当たって失速し中央装置４０上を転動してから右遊技領域２１Ｒを流下する。このため、右遊技領域２１Ｒを流下する遊技球の経路がより安定し、右遊技領域２１Ｒに配置されている入球口への入球率がより安定しやすくなっている。また、遊技球が外レール２２から離れにくくなることによって、発射した遊技球が中央装置４０を超えやすくなるので、遊技者が右打ちを確実に、且つ、容易にできるようになっている。
【００４１】
尚、本実施例では、外レール２２を弾性変形する金属板によって構成されるものとしたが、誘導経路を形成するものであれば別の構成であってもよい。例えば、遊技盤２０から外レール２２に相当する部分を前面側（遊技者側）に突出させるようにして、遊技盤２０と一体成型してもよい。あるいは、透明板４ｂから外レール２２に相当する部分を遊技盤２０側に突出させるようにして、遊技盤２０と一体成型してもよい。
【００４２】
本実施例では、外レール２２（誘導経路２２Ｒ）の曲率半径が遊技球の進行方向（終端部）に向けて、徐々に小さくなるように形成されているが、外レール２２の形状はこれに限らず、外レール２２（誘導経路２２Ｒ）の曲率半径が遊技球の進行方向（終端部）に向けて小さくなる部分が形成されていればよい。この構成においても、曲率半径が小さくなるように形成された部分では、遊技球が外レール２２から離れにくくなり、軌道をより一層安定させることができる。
【００４３】
尚、「右遊技領域２１Ｒ（返しゴム５１が配置された位置）」が本発明における「所定位置」に相当する。
【００４４】
Ｄ．変形例  ：
上記実施例では、遊技者が右打ちを確実に、且つ、容易にできるようにするために、外レール２２（誘導経路２２Ｒ）の曲率半径が遊技球の進行方向（終端部）に向けて、徐々に小さくなるように形成されている。しかし、遊技者が右打ちを確実に、且つ、容易にできるようにするという観点からすれば、少なくとも中央装置４０（中央装置４０の最高点）を超えるまで曲率半径が徐々に小さくなるものであればよい。
【００４５】
図５は、変形例の外レール２２の形状を示す説明図である。外レール２２はレールピンｐ１１〜ｐ１５によって遊技盤２０に固定されている。図５に示すように、中央装置４０を超えるまでの外レール２２の形状を規定するレールピンｐ１１〜ｐ１４は上記実施例のレールピンｐ１〜ｐ４と同様に、右方に向けて徐々に内側寄りとなるように配置されている。このため、レールピンｐ１１〜ｐ１４によって規定される外レール２２は、遊技球の進行方向（終端部）に向けて、曲率半径がｒ０，ｒ１（ｒ１＜ｒ０）と徐々に小さくなるように固定されている。その一方で、中央装置４０を超えた後の外レール２２の形状を規定するレールピンｐ１４，ｐ１５は、右方に向けて外側寄りとなるように配置されている。このため、レールピンｐ１４，ｐ１５によって規定される外レール２２は、遊技球の進行方向（終端部）に向けて、曲率半径がｒ１，ｒ３（ｒ３＞ｒ１）と逆に大きくなるように固定されている。しかし、このような構成であっても、遊技球が中央装置４０を超えるまでは外レール２２（誘導経路２２Ｒ）の曲率半径が遊技球の進行方向（終端部）に向けて、徐々に小さくなるように形成されているため、遊技者が右打ちを確実に、且つ、容易にできるようにすることができる。
【００４６】
以上、本発明の実施例及び変形例について説明したが、本発明はこれに限定されるものではなく、各請求項に記載した範囲を逸脱しない限り、各請求項の記載文言に限定されず、当業者がそれらから容易に置き換えられる範囲にも及び、かつ、当業者が通常有する知識に基づく改良を適宜付加することができる。
【００４７】
例えば、遊技ホールの島設備から供給される遊技球を払い出すことによって、遊技の結果としての利益（遊技価値）を遊技者に付与するパチンコ機１に本発明を適用した例を説明した。これに限らず、「遊技球の払い出し」とは異なる形態で遊技上の利益を付与するタイプの遊技機にも、本発明を適用することができる。例えば、各種入球口への遊技球の入球が発生することで、その入球に対応する利益の量（遊技価値の大きさ）を示すデータを記憶することによって、遊技上の利益（遊技価値）を遊技者に付与するタイプのパチンコ機にも本発明を適用することができ、この場合にも、上述した実施例と同様の効果を得ることができる。なお、遊技上の利益（遊技価値）をデータ化して遊技者に付与するタイプのパチンコ機としては、パチンコ機に内蔵された複数個の遊技球を循環させて使用する遊技機、具体的には、各種入球口あるいはアウト口を経て遊技盤の裏面に排出された遊技球を、再度、発射位置に戻して発射するように構成されたパチンコ機（いわゆる封入式遊技機）を例示できる。
【産業上の利用可能性】
【００４８】
本発明は、遊技ホールで用いられる遊技機に利用することができる。
【符号の説明】
【００４９】
１…パチンコ機（遊技機）、９…発射ハンドル、２０…遊技盤、２１…遊技領域、２２…外レール、２２Ｒ…誘導経路、２３…内レール、４０…中央装置、４１…演出表示装置、ｐ１〜ｐ５…レールピン、５１…返しゴム
【図１】
2018023870.tif 000003
【図２】
2018023870.tif 000004
【図３】
2018023870.tif 000005
【図４】
2018023870.tif 000006
【図５】
2018023870.tif 000007